(57)【要約】【課題】テーブル等の外周縁に位置する電気機器のコード類を外力から確実に保護することができ、しかもコード類を電気機器の移動に合わせて容易に移動させることが可能なコード保護具を提供する。【解決手段】パーソナルコンピュータＰＣのコード類Ｆ１、Ｆ２が挿通される貫通穴４ｂ、４ｃを有するコード包囲部３と、テーブルＴ１の外周縁Ｔ１ａに沿って取付けられコード包囲部３を水平方向Ｈに移動可能に支持するレール１とを備える。貫通穴４ｂ、４ｃに挿通されたコード類Ｆ１、Ｆ２は、コード包囲部３によって覆われた状態となり、テーブルＴ１とテーブルＴ２とを突き合わせる際の外力からコード類Ｆ１、Ｆ２を保護することが可能となる。また、パーソナルコンピュータＰＣの移動に合わせてコード類Ｆ１、Ｆ２を容易に移動させることが可能となり、コード類Ｆ１、Ｆ２が煩雑になるのを解消することができる。【選択図】  図１
2009291346.tif 000002
【特許請求の範囲】
【請求項１】
電気機器のコード類が挿通される貫通穴を有するコード包囲部と、
テーブル等の外周縁に沿って取付けられ前記コード包囲部を水平方向に移動可能に支持する可動支持手段と、
を備えたことを特徴とするコード保護具。
【請求項２】
前記コード包囲部は、係合により前記可動支持手段に移動可能に支持されていることを請求項１に記載のコード保護具。
【請求項３】
前記コード包囲部は、磁力により前記可動支持手段に移動可能に支持されていることを請求項１に記載のコード保護具。
【請求項４】
前記コード包囲部は、前記貫通穴が側面に開口可能に構成されていることを特徴とする請求項１ないし３のいずれか１項に記載のコード保護具。
【発明の詳細な説明】
【技術分野】
【０００１】
この発明は、テーブル等の外周縁に位置する電気機器のコード類を外力から確実に保護するためのコード保護具に関する。
【背景技術】
【０００２】
パーソナルコンピュータは、持ち運びを容易にするため軽量化されており、事務用机だけでなく会議などにおいてテーブル上で使用される機会も多い。そこで、テーブル上でのパーソナルコンピュータの使用を配慮した事務用テーブルが開発されている（例えば、特許文献１参照）。この事務用テーブルでは、電源コードや通信用ケーブルなどの接続端子が天板の下面に隠蔽されており、天板上面側からパーソナルコンピュータへの電源供給が可能となっている。
【０００３】
ところで、会議などにおいては、参加者が多い場合はテーブルを多数寄せ集めて使用する場合がある。図７および図８は、テーブルを多数寄せ集めて使用する場合を示しており、テーブルＴ１とテーブルＴ２は対向して配置されている。テーブルＴ１は、天板Ｔ１ｂの四隅にそれぞれ脚Ｔ１ｃを有しており、テーブルＴ２は、天板Ｔ２ｂの四隅にそれぞれ脚Ｔ２ｃを有している。テーブルＴ１の天板Ｔ１ｂ上には、パーソナルコンピュータＰＣが載せられている。パーソナルコンピュータＰＣの電源コードＦ１と通信用ケーブルＦ２は、天板Ｔ１ｂと天板Ｔ２ｂとの隙間から下方に延び、床面側の電源コンセントなどに接続されている。
【特許文献１】特開２００１−１２８７４５号公報
【発明の開示】
【発明が解決しようとする課題】
【０００４】
しかし、図７および図８のように、テーブルを多数寄せ集めて使用する場合は、テーブルを突き合わせる際に、パーソナルコンピュータＰＣの電源コードＦ１と通信用ケーブルＦ２がテーブルＴ１の外周縁Ｔ１ａとテーブルＴ２の外周縁Ｔ２ａによって挟まれ、その際の外力Ｋによって電源コードＦ１と通信用ケーブルＦ２に損傷部Ｓが生じる場合がある。このように、テーブルを寄せ集めて使用する場合は、電気機器のコード類が損傷するおそれがあるので、コード類を外力Ｋから確実に保護することが要求される。
【０００５】
また、パーソナルコンピュータＰＣなどの電気機器を頻繁にテーブル上で移動させることが要求される職場では、電気機器のコード類を電気機器の移動に合わせて容易に移動させることができれば、コード類が煩雑にならず便利である。特許文献１の事務用テーブルでは、天板上面側のコード類の接続位置が固定であるので、電気機器のコード類を電気機器の移動に合わせて容易に移動させることができないという問題がある。コード類の損傷やコード類が煩雑になるという問題は、事務用のテーブルだけでなく電気機器を使用する机や作業台などについても生ずる。
【０００６】
そこでこの発明は、テーブル等の外周縁に位置する電気機器のコード類を外力から確実に保護することができ、しかもコード類を電気機器の移動に合わせて容易に移動させることが可能なコード保護具を提供することを目的とする。
【課題を解決するための手段】
【０００７】
上記目的を達成するために請求項１に記載の発明は、電気機器のコード類が挿通される貫通穴を有するコード包囲部と、テーブル等の外周縁に沿って取付けられ前記コード包囲部を水平方向に移動可能に支持する可動支持手段と、を備えたことを特徴とするコード保護具である。
【０００８】
この発明によれば、コード包囲部の貫通穴に電気機器のコード類が挿通されるので、コード類はコード包囲部に覆われた状態となり、テーブル等を突き合わせる際の外力からコード類は保護される。また、コード包囲部は可動支持手段によって水平方向に移動可能に支持されるので、電気機器の移動に合わせてコード類を容易に移動させることが可能となる。
【０００９】
請求項２に記載の発明は、請求項１に記載のコード保護具において、前記コード包囲部は、係合により前記可動支持手段に移動可能に支持されていることを特徴としている。
【００１０】
請求項３に記載の発明は、請求項１に記載のコード保護具において、前記コード包囲部は、磁力により前記可動支持手段に移動可能に支持されていることを特徴としている。
【００１１】
請求項４に記載の発明は、請求項１ないし３のいずれか1項に記載のコード保護具において、前記コード包囲部は、前記貫通穴が側面に開口可能に構成されていることを特徴としている。
【発明の効果】
【００１２】
請求項１に記載の発明によれば、テーブル等の外周縁に位置するコード類はコード包囲部に覆われた状態となるので、テーブル等を突き合わせる際の外力からコード類を確実に保護することができる。これにより、テーブル等を寄せ集めて使用する場合でも、コード類の破損、損傷が回避でき、電気機器の寿命を高めることができる。また、テーブル等における電気機器の移動に合わせてコード類を容易に移動させることが可能となるので、コード類が煩雑になるのを解消することができ、作業能率を高めることができる。
【００１３】
請求項２に記載の発明によれば、コード包囲部は係合により可動支持手段に支持されているので、レールなどを利用した係合構造とすることにより、コード包囲部との摩擦抵抗を小さくでき、コード包囲部を小さな力で水平方向へ移動させることができる。
【００１４】
請求項３に記載の発明によれば、コード包囲部は磁力により可動支持手段に支持されているので、係合構造による場合よりも構造を簡素化することができる。
【００１５】
請求項４に記載の発明によれば、コード包囲部は貫通穴が側面に開口可能となるように構成されているので、コード類をコード包囲部の横方向から貫通穴に入れることができ、コード類の貫通穴への挿通が容易となる。
【発明を実施するための最良の形態】
【００１６】
つぎに、この発明の実施の形態について図面を用いて詳しく説明する。
【００１７】
（実施の形態１）
図１ないし図４は、この発明の実施の形態１に係る電気機器のコード保護具を示しており、とくに事務用のテーブルに適用した場合を示している。図１に示すように、テーブル等としてのテーブルＴ１の天板Ｔ１ｂの上面には、持ち運びが容易なパーソナルコンピュータＰＣが載せられている。天板Ｔ１ｂは、平面形状が長方形をした板状部材から構成されており、天板Ｔ１ｂの側面部は、テーブルＴ１の外周縁Ｔ１ａを構成している。天板Ｔ１ｂの下面の四隅には、下方に延びる脚Ｔ１ｃがそれぞれ取付けられている。パーソナルコンピュータＰＣの背面側には、コード類としての電源コードＦ１や通信用ケーブルＦ２が接続されている。
【００１８】
テーブルＴ１の外周縁Ｔ１ａにおける一辺には、パーソナルコンピュータＰＣの電源コードＦ１および通信用ケーブルＦ２を保護するコード保護具１０が設けられている。コード保護具１０は、主として可動支持手段としてのレール１と、粘着テープ２と、コード包囲部３とを有している。レール１は、テーブルＴ１の外周縁Ｔ１ａにおけるパーソナルコンピュータＰＣの背面側に位置する一辺にのみ設けられている。レール１は、図４に示すように、テーブルＴ１の外周縁Ｔ１ａの一辺に沿って水平方向Ｈに直線状に延びる帯状部材から構成されている。レール１は、所定の断面形状を有するアルミニウム合金などの金属部材から構成してもよいし、合成樹脂などから構成してもよい。レール１の表面１ａ側の幅方向の中央部には、水平方向Ｈに延びる摺動溝１ｃが形成されている。この摺動溝１ｃは、横断面形状がＴ字状となっており、これによってレール１には係合部１ｄ、１ｅが形成されている。図２に示すように、レール１は、背面１ｂに設けられた粘着テープ２を介してテーブルＴ１の外周縁Ｔ１ａの一辺に固定されている。この実施の形態１では、粘着テープ２を用いてレール１をテーブルＴ１の外周縁Ｔ１ａに固定しているが、テーブルＴ１が木製である場合は、図４に示すように、背面１ｂ側に開口する固定用穴１ｆを利用して木ネジ（図示略）で固定する構造としてもよい。
【００１９】
レール１には、コード包囲部３が移動可能に支持されている。コード包囲部３は、図３に示すように摺動体４とカバー５とから構成されている。摺動体４は、レール１に対して摺動性の優れた部材から構成されている。摺動体４の背面側には、レール１の摺動溝１ｃに移動可能に嵌合される摺接部４ａが形成されている。摺接部４ａの横断面形状は、図２に示すようにＴ字形をしており、摺動溝１ｃと相似形になっている。これにより、摺動体４は、レール１の摺動溝１ｃに沿って水平方向Ｈに移動自在となっている。また、摺動体４は、摺接部４ａがレール１の係合部１ｄ、１ｅと係合することにより、摺動溝１ｃから外れないようになっている。
【００２０】
摺動体４には、コード類を挿通させるための二つの貫通穴４ｂ、４ｃが隣接して形成されており、二つの貫通穴４ｂ、４ｃは摺動体４の上面と下面を貫通している。テーブルＴ１の外周縁Ｔ１ａの近傍に位置する電源コードＦ１と通信用ケーブルＦ２は、上下方向Ｖに延びていることから、貫通穴４ｂ、４ｃも上下方向Ｖに延びるように形成されている。貫通穴４ｂおよび貫通穴４ｃは、電源コードＦ１と通信用ケーブルＦ２を横方向から挿入するために、摺動体４の側面に開口している。貫通穴４ｂ、４ｃの大きさ（内径）は、電源コードＦ１と通信用ケーブルＦ２の外径よりも大に設定されており、電源コードＦ１と通信用ケーブルＦ２が上下方向Ｖに自在に動くことが可能となっている。この実施の形態１では、貫通穴４ｂに通信用ケーブルＦ２が挿通され、貫通穴４ｃに電源コードＦ１が挿通されているが、コード類の外径が小さい場合は、一つの貫通穴に複数のコード類を挿通する構成としてもよい。
【００２１】
カバー５は、摺動体４に取り外し可能に取付けられている。カバー５は、略Ｌ字状に形成された板状部材から構成されている。カバー５の上面部５ａは、レール１の背面１ｂ近傍まで延びている。カバー５の上面部５ａには、電源コードＦ１と通信用ケーブルＦ２を挿通させるための二つの切欠穴５ｃ、５ｄが隣接して形成されている。切欠穴５ｃ、５ｄは、平面形状がＵ字状に形成されており、摺動体４と対向する部位が開口している。カバー５の前側面部５ｂの裏面には、カバー５を摺動体４に取付けるための嵌合突起５ｅ、５ｆが形成されている。嵌合突起５ｅは、摺動体４の側面部に形成された嵌合穴４ｄに圧入可能となっている。同様に、嵌合突起５ｆは、摺動体４の表側面部に形成された嵌合穴４ｅに圧入可能となっている。カバー５が摺動体４に取付けられた状態では、貫通穴４ｂと切欠穴５ｃが重なり、貫通穴４ｃと切欠穴５ｄが重なるようになっている。カバー５の上面部５ａにおける切欠穴５ｃと切欠穴５ｄとの間には、雌ネジ５ｇが形成されている。図２に示すように、雌ネジ５ｇには固定用ネジ５ｈが螺合されている。固定用ネジ５ｈは、レール１の上面を押圧することにより、コード包囲部３をレール１の任意の位置に固定する機能を有している。
【００２２】
つぎに、実施の形態１におけるコード保護具１０の作用について説明する。会議などの際には、持ち運びが容易なノートブック型のパーソナルコンピュータＰＣが参加者によって会議室内に持ち込まれ、パーソナルコンピュータＰＣはテーブルＴ１の天板Ｔ１ｂの上に載せられる。その後、コード包囲部３をレール１に沿って水平方向Ｈに移動させ、コード包囲部３をパーソナルコンピュータＰＣに最も近い位置させる。つぎに、この位置において、カバー５を摺動体４から取外す。カバー５の嵌合突起５ｅ、５ｆは、摺動体４の嵌合穴４ｄ、４ｅに軽く圧入されているだけなので、カバー５を容易に摺動体４から取外すことができる。
【００２３】
カバー５を摺動体４から取外した際では、貫通穴４ｂと貫通穴４ｃは摺動体４の側面に開口した状態となる。この状態で電源コードＦ１を貫通穴４ｃに挿通し、通信用ケーブルＦ２を貫通穴４ｂに挿通する。このように、カバー５を取外した状態では、貫通穴４ｂと貫通穴４ｃは摺動体４の側面に開口しているので、電源コードＦ１および通信用ケーブルＦ２を横方向から貫通穴４ｂと貫通穴４ｃに入れることができ、電源コードＦ１および通信用ケーブルＦ２を先端部から貫通穴４ｂと貫通穴４ｃに挿通する場合に比べて、挿通が著しく容易になる。また、電源コードＦ１および通信用ケーブルＦ２は、貫通穴４ｂと貫通穴４ｃに対して上下方向Ｖに移動自在となっているので、パーソナルコンピュータＰＣを前後方向に移動させても電源コードＦ１および通信用ケーブルＦ２に無理な力が作用することはない。
【００２４】
電源コードＦ１および通信用ケーブルＦ２の貫通穴４ｂ、４ｃへの挿通が完了すると、摺動体４にカバー５を取付ける。カバー５には、コード類との干渉を回避するために切欠穴５ｃ、５ｄが形成されているので、貫通穴４ｂ、４ｃに挿通された電源コードＦ１および通信用ケーブルＦ２がカバー５と干渉することはない。また、カバー５の摺動体４への取付けることにより、貫通穴４ｂ、４ｃの側面方向の開口部はカバー５によって覆われることになり、電源コードＦ１および通信用ケーブルＦ２が貫通穴４ｂ、４ｃから抜け出ることが防止される。その後、カバー５に設けられた固定用ネジ５ｈを回転させ、固定用ネジ５ｈの先端をレール１の上面に押圧する。これにより、コード包囲部３はレール１上の所定の位置に固定され、コード包囲部３の水平方向Ｈの動きを阻止することができる。その後、コード包囲部３に挿通された電源コードＦ１および通信用ケーブルＦ２を床面側に設けられた電源コンセント（図示略）などに接続する。
【００２５】
このように、テーブルＴ１の外周縁Ｔ１ａに位置する電源コードＦ１および通信用ケーブルＦ２は、コード包囲部３に覆われた状態となるので、テーブルＴ１とテーブルＴ２とを突き合わせる際の外力から保護され、電源コードＦ１および通信用ケーブルＦ２の破損、損傷を確実に防止することができる。また、テーブルＴ１とテーブルＴ２との間には、コード包囲部３によって隙間Ｗ１が生じることになり、テーブルＴ１とテーブルＴ２によって指が挟まれるのを防止することができる。
【００２６】
摺動体４は、レール１に対して摺動性の優れた部材から構成されているので、コード包囲部３を移動させる際のレール１との摩擦抵抗が小さくなり、小さな力でコード包囲部３を水平方向Ｈに移動させることができる。これにより、電源コードＦ１および通信用ケーブルＦ２の位置をパーソナルコンピュータＰＣの位置に合致させることが容易となる。実施の形態１においては、レール１に1個のコード包囲部３を支持させるようにしているが、レール１には複数のコード包囲部３を支持させることが可能である。したがって、一つのテーブルＴ１上でパーソナルコンピュータＰＣや計測器など複数の電気機器を頻繁に移動させことが必要な職場では、電気機器のコード類が煩雑になるのを解消でき、電気機器を使用した作業の能率を高めることができる。
【００２７】
実施の形態１では、コード保護具１０を既存の事務用のテーブルＴ１に後付けする構成としているが、この発明はコード保護具１０を予め組み込んだ新品のテーブル等にも適用可能である。また、電源コードＦ１および通信用ケーブルＦ２の外力による損傷は、テーブルＴ１とテーブルＴ２とを突き合わせる場合に限られず、テーブルＴ１の外周縁Ｔ１ａを室内の壁面に押付ける場合にも生ずることがあり、この場合もコード保護具１０によって電源コードＦ１および通信用ケーブルＦ２を保護することができる。
【００２８】
（実施の形態２）
図５は、この発明の実施の形態２を示しており、とくに磁力を利用してコード包囲部３を支持する場合を示している。実施の形態２が実施の形態１と異なるところは、コード包囲部３の固定構造のみであり、その他の部分は実施の形態１に準ずるので、準ずる部分に実施の形態１と同一の符号を付すことにより、準ずる部分の説明を省略する。後述する他の実施の形態も同様とする。
【００２９】
図５に示すように、事務用テーブルＴ１の外周縁には、可動支持手段としてのゴム磁石６が粘着テープ２を介して固定されている。ゴム磁石６は、事務用テーブルＴ１の外周縁の一辺に沿って水平方向に延びる帯状に形成されている。コード包囲部３の背面側には、鉄片７が固定されている。鉄片７は、ゴム磁石６の水平方向の任意の位置に取付け可能となっている。鉄片７は、ゴム磁石６に吸着された状態では水平方向に容易に移動することができないので、実施の形態２では固定用ネジ５ｈは不要となっている。
【００３０】
このように構成された実施の形態２においては、磁力によりコード包囲部３の鉄片７がゴム磁石６に吸着され、コード包囲部３を水平方向の任意の位置に支持することができる。電源コードＦ１および通信用ケーブルＦ２は、コード包囲部３に収納された状態となるので、テーブル等を多数寄せ集めて使用する場合でも、電源コードＦ１および通信用ケーブルＦ２は外力から保護される。また、テーブルＴ１とテーブルＴ２との間には、コード包囲部３によって隙間Ｗ２が生じることになり、テーブルＴ１とテーブルＴ２によって指が挟まれるのを防止することができる。さらに、可動支持手段としてのゴム磁石６を用いることにより、実施の形態１のレール１を用いた係合構造の場合よりも薄型にでき、隙間Ｗ２の寸法を図２の隙間Ｗ１よりも小にすることが可能となる。
【００３１】
（実施の形態３）
図６は、この発明の実施の形態３を示しており、実施の形態１の変形例を示している。実施の形態１においては、レール１にＴ字状の摺動溝１ｃを形成し摺動体４を係合させるようにしているが、実施の形態３では面ファスナーによる係合を利用してコード包囲部３を支持する構造を採用している。
【００３２】
図６に示すように、事務用テーブルＴ１の外周縁には、可動支持手段としてのループ部材８が粘着テープ２を介して固定されている。ループ部材８は、ループ状の微細な繊維が密集している部材であり、テーブルＴ１の外周縁の一辺に沿って水平方向に延びる帯状に形成されている。コード包囲部３の背面側には、面ファスナーの鉤部材９が固定されている。鉤部材９は、ループ部材８のループ状の繊維と係合可能な多数の鉤を有する部材であり、ループ部材８の水平方向の任意の位置に取付け可能となっている。鉤部材９は、ループ部材８と係合した状態では水平方向に容易に移動することができないので、実施の形態２と同様に実施の形態３では固定用ネジ５ｈは不要となっている。
【００３３】
このように構成された実施の形態３においては、コード包囲部３の鉤部材９がループ部材８と係合し、コード包囲部３を水平方向の任意の位置に支持することができる。電源コードＦ１および通信用ケーブルＦ２は、貫通穴４ｂ、４ｃに挿通されコード包囲部３に覆われた状態となるので、テーブルを多数寄せ集めて使用する場合でも、電源コードＦ１および通信用ケーブルＦ２は外力から保護される。また、テーブルＴ１とテーブルＴ２との間には、コード包囲部３によって隙間Ｗ３が生じることになり、テーブルＴ１とテーブルＴ２とを突き合わせる際に、テーブルＴ１とテーブルＴ２とによって指が挟まれるのを防止することができる。
【００３４】
以上、この発明の実施の形態を詳述してきたが、具体的な構成は上記の実施の形態に限られるものではなく、この発明の要旨を逸脱しない範囲の設計の変更等があっても、この発明に含まれる。例えば、実施の形態１において、レール１の長手方向の両端部に、テーブルＴ２側に突出してテーブルＴ１、Ｔ２の隙間を規定する隙間形成部を設け、この隙間形成部がテーブルＴ２に当たった状態で、カバー５の前側面部５ｂがテーブルＴ２に接触しないように、隙間形成部の突出量を設定する。これにより、テーブルＴ１、Ｔ２を移動しなくても、コード包囲部３をレール１上で移動させることができる。また、テーブル等の一例として事務用のテーブルＴ１の場合を説明したが、テーブル等には事務用のテーブルだけでなく、パーソナルコンピュータＰＣなどの電気機器を載せることが可能な机や作業台なども含まれる。さらに、テーブル等に載せる電気機器としては、パーソナルコンピュータＰＣの他に、プロジェクタ、プリンタ、計測器なども含まれる。
【図面の簡単な説明】
【００３５】
【図１】本発明の実施の形態１に係わるコード保護具の斜視図である。
【図２】図１のコード包囲部近傍の断面図である。
【図３】図１のコート包囲部の分解斜視図である。
【図４】図１のレールの拡大斜視図である。
【図５】本発明の実施の形態２に係わるコード保護具の断面図である。
【図６】本発明の実施の形態３に係わるコード保護具の断面図である。
【図７】テーブルを利用した電気機器の従来における使用状態を示す斜視図である。
【図８】図７のテーブルの外周縁に位置するコード類近傍の断面図である。
【符号の説明】
【００３６】
１          レール（可動支持手段）
２          粘着テープ
３          コード包囲部
４          摺動体
５          カバー
６          ゴム磁石（可動支持手段）
７          鉄片
８          ループ部材（可動支持手段）
９          鉤部材
１０        コード保護具
Ｔ１        テーブル
Ｔ１ａ      外周縁
ＰＣ        パーソナルコンピュータ（電気機器）
Ｆ１        電源コード（コード類）
Ｆ２        通信用ケーブル（コード類）
【図１】
2009291346.tif 000003
【図２】
2009291346.tif 000004
【図３】
2009291346.tif 000005
【図４】
2009291346.tif 000006
【図５】
2009291346.tif 000007
【図６】
2009291346.tif 000008
【図７】
2009291346.tif 000009
【図８】
2009291346.tif 000010